(57)【要約】【課題】配線作業を行う時等、必要な時にのみコンセント等の配線具を開口に臨む位置に配置すべく、配線装置の昇降機構を提供するとともに、この配線装置の昇降機構の動作に要するスペースを小さくする。【解決手段】移動可能な天板１２と、前記天板１２と同一平面上にある面部の所定領域に設けられ、該天板を移動させることにより開閉可能な開口２とを少なくとも備えている天板付き家具たる机１に設置され、少なくとも配線を収容する配線装置本体４を有する配線装置３に適用されるものであって、前記机１と配線装置本体４との間に動作変換機構５を介在させ、該動作変換機構５により、前記開口２を閉止させる動作を前記配線装置本体４を下降させて天板下空間Ｓに収納させる動作に、前記開口２を開成させる動作を前記配線装置本体５を上昇させて開口２に臨む位置に移動させる動作にそれぞれ変換するように構成するとともに、さらに前記動作変換機構５に可撓性を有する部材により構成された接続部たるワイヤ７を具備させる。【選択図】図４
2004329305.tif 000002
【特許請求の範囲】
【請求項１】
移動可能な天板と、前記天板又は天板と同一平面上にある面部の所定領域に設けられ、該天板を移動させることにより開閉可能な開口とを少なくとも備えている天板付き家具に設置され、少なくとも配線を収容する配線装置本体を有する配線装置に適用されるものであって、前記天板付き家具と前記配線装置本体との間に動作変換機構を介在させ、該動作変換機構により、前記開口を開成させる動作を前記配線装置本体を上昇させて開口に臨む位置に移動させる動作に、前記開口を閉止させる動作を前記配線装置本体を下降させて天板下空間に収納させる動作にそれぞれ変換するようにしているとともに、さらに前記動作変換機構が、可撓性を有する部材により構成され前記天板と前記配線装置本体とを接続する接続部を具備することを特徴とする配線装置の昇降機構。
【請求項２】
前記動作変換機構の接続部を、一端を前記天板付き家具の天板側に、他端を前記配線装置本体側にそれぞれ接続したひも状部材ないし帯状部材により構成し、前記接続部により配線装置を吊り下げるようにしていることを特徴とする請求項１記載の配線装置の昇降機構。
【請求項３】
左右１対に設けられ、天板を支持する脚体を有し、前記脚体間に形成される空間と、脚体の外側方空間とを連通させる側開口を有する天板付き家具に適用されるものであって、前記側開口の下方近傍に、前記動作変換機構の接続部を巻き掛けてなり、該接続部を天板に向けて前方に、及び前記配線装置本体に向けて下方に延伸させる定滑車を備えていることを特徴とする請求項２記載の配線装置の昇降機構。
【請求項４】
動作変換機構が、前記接続部と、前記配線装置本体を天板付き家具に対して上下方向に平行移動可能に案内する平行リンクとを具備し、これら接続部及び平行リンクにより、前記開口の開閉動作と配線装置本体の移動動作とを連動させるように構成してなることを特徴とする請求項１、２又は３記載の配線装置の昇降機構。
【請求項５】
動作変換機構が、天板の下方に形成される天板下空間内に配置されて外部から隠蔽されていることを特徴とする請求項１、２、３又は４記載の配線装置の昇降機構。
【発明の詳細な説明】
【０００１】
【発明の属する技術分野】
本発明は、オフィス等で好適に利用される配線装置に関するものである。
【０００２】
【従来の技術】
近時のオフィス等におけるＯＡ化の進展に伴って、居住空間には多くの配線類が引き回されるようになっている。このような配線の引き回しは、居住空間に見苦しい状態で露出しがちであり、配線が通路を横断したりする等のオフィスの機能性低下の要因ともなり易い。そこで、このような配線処理に関して床から立ち上げ、或いは壁際にあっては壁から引き込んだ配線を机等の天板下に形成した天板下空間に導いて床から机までの配線の引き回し部分を好適に隠蔽し、前記天板近傍に設けたコンセント等の配線具に接続して、この配線具の差込口にワープロやパソコンを始めとする各種ＯＡ機器を接続して使用することが行われている。
【０００３】
このような配線具としては、天板下空間に配置した配線ダクトに収納してあるものや、前記天板に設けた開口に常時上向きに定着されているもの等が挙げられる（例えば、特許文献１及び２を参照）。
【０００４】
【特許文献１】
特開平１１−１２７９７８号
【特許文献２】
特開平１１−１２７９６７号
【０００５】
【発明が解決しようとする課題】
ところが、特許文献１記載のもののように、天板下空間に配置した配線ダクトに配線具を収納している場合には、通常、前記開口は蓋部材により閉止されているため、この蓋部材を取り外し、開口内に手を挿入して配線作業を行わねばならず、該作業が非常に行い難いものであった。さらに、前記蓋部材に筆記具等の物品を載せ置くと、配線作業時には、前記物品の移動が必須となり天板面での通常の作業を阻害せざるを得なかった。
【０００６】
一方、特許文献２記載のもののように、常時、配線具が上向きに定着されているものは、常に一定箇所に差込口が露出した状態となるため、天板上の使用スペースの減少や天板上の美観を損なう、差込口にほこりがたまり易い等の不具合がある。
【０００７】
そこで、本発明では、配線作業を行う時等、必要な時にのみコンセント等の配線具を備えた配線装置本体を開口に臨む位置に配置し得るような配線装置を提供することを目的とするものである。
【０００８】
【課題を解決するための手段】
すなわち、本発明に係る配線装置の昇降機構は、移動可能な天板と、前記天板又は天板と同一平面上にある面部の所定領域に設けられ、該天板を移動させることにより開閉可能な開口とを少なくとも備えている天板付き家具に設置され、配線を収容する配線装置に適用されるものであって、前記天板付き家具と配線を収容する配線装置本体との間に動作変換機構を介在させ、該動作変換機構により、前記開口を開成させる動作を前記配線装置本体を上昇させて開口に臨む位置に移動させる動作に、前記開口を閉止させる動作を前記配線装置本体を下降させて天板下空間に収納させる動作にそれぞれ変換するようにしているとともに、さらに前記動作変換機構が、可撓性を有する部材により構成され前記天板と前記配線装置本体とを接続する接続部を具備することを特徴とする。
【０００９】
このような構成のものであると、配線装置本体の移動を開口の開閉動作と連動させて行っているので、必要に応じて配線装置本体を開口に対して臨ませたり、天板下空間に収納した状態とすることができ、使用状況に対応させた利用が可能となる。すなわち、前記開口を開成させれば、前記動作変換機構を介して前記配線装置本体が開口に臨む位置に移動することとなり、コンセント等の配線具を備えた配線装置本体に配線を接続する等の配線作業を容易に行うことができる。一方、前記開口を閉止させれば、前記動作変換機構を介して前記配線装置本体は天板下空間に収納されるため、机全体の外観を良好なものとし得るとともに、天板面の有効利用面積も低減させることがない。また、前記動作変換機構が、可撓性を有する部材により構成され前記天板と前記配線装置本体とを接続する接続部を具備するので、前記開口を開閉すべく天板を移動させるための操作力を効果的に前記配線装置本体を昇降させる力に変換できるとともに、このような動作変換機構の動作に要するスペースを少なくできるようになる。
【００１０】
なお、本明細書中でいうところの天板という概念とは、その上面に物品を載置可能な板体全てを指し、棚板等も含むものである。
【００１１】
さらに、本明細書中でいうところの配線装置本体とは、コンセント等の配線具や、前記配線具を載せ置いたり配線を案内したりできる配線ダクト等を含むものである。
【００１２】
このような配線装置の昇降機構の態様の一例として、前記動作変換機構の接続部を、一端を前記天板付き家具の天板側に、他端を前記配線装置本体側にそれぞれ接続したひも状部材ないし帯状部材により構成し、前記接続部により配線装置を吊り下げるようにしているものが挙げられる。このようなものであれば、上述したような動作変換機構の動作に要するスペースをさらに小さくすることができるようになる。
【００１３】
また、前記配線装置に配置する配線を、天板付き家具の側方空間に延出させる構成を好適に実現できる態様として、左右１対に設けられ、天板を支持する脚体を有し、前記脚体間に形成される空間と、脚体の外側方空間とを連通させる側開口を有する天板付き家具に適用されるものであって、前記側開口の下方近傍に、前記動作変換機構の接続部を巻き掛けてなり、該接続部を天板に向けて前方に、及び前記配線装置本体に向けて下方に延伸させる定滑車を備えているものが挙げられる。このようなものであれば、天板に対して前記開口を開成させる動作が行われた際に、天板に対する操作力により接続部が天板に向けて引き付けられ、この接続部からの作用を受けて前記配線装置本体が天板の移動距離分だけ上昇させることができるとともに、前記開口を閉止させる動作が行われた際に、接続部が配線装置に向かう方向に押し込まれ、配線装置が自重により天板の移動距離分だけ下降させることができる。従って、動作変換機構の動作範囲が側開口を閉塞する位置には到達しないので、配線装置本体の全体に配線を収納できるからである。
【００１４】
動作変換を極めて円滑なものにすることができ、所期の作動の実効を高めることを可能とするには、動作変換機構が、前記接続部と、前記配線装置本体を天板付き家具に対して上下方向に平行移動可能に案内する平行リンクとを具備し、これら接続部及び平行リンクにより、前記開口の開閉動作と配線装置本体の移動動作とを連動させるように構成してなることが望ましい。
【００１５】
天板付き家具を見栄えの良いものとするには、動作変換機構が、天板の下方に形成される天板下空間内に配置されて外部から隠蔽されていることが望ましい。
【００１６】
【発明の実施の形態】
以下、本発明の一実施の形態について図面を参照して説明する。
【００１７】
本実施の形態では、天板付き家具が、正面図を図１、側面図を図２、平面図を図３にそれぞれ示すような、オフィスや家庭等でパソコン等を載せ置いて使用する机１である場合を例にとって説明する。
【００１８】
この机１は、左右１対の脚体１１と、この脚体１１により前後方向に移動可能に支持されている天板１２とを具備する。また、天板１２の後方には補強部１３が形成されているとともに、前記机１の後端部にはこの机１の背面を形成する幕板１４が設けられている。
【００１９】
前記天板１２は、１枚の金属板を板金加工し、図３に示すように、側縁にエッジ材を取り付けているとともに、幅方向に延伸する横補強材１２ｘと、奥行き方向に延伸し、図示しない引出しと係合して引き出しの移動方向を案内する引出し取付部材１２ｙとを下面に取り付けている。また、本実施形態では、その下面両側端部の後部に、天板１２の下面に当接する当接部と、当接部から略鉛直下方に屈曲して設けられ、その外側面に転動輪１２１ａを取り付けてなる取付部とを有する後取付部材１２１を取り付けていて、脚体１１に設けた第１レール機構１１１内に前記転動輪１２１ａを挿入し、前記転動輪１２１ａが前記第１レール機構１１１の内部を転動するようにしている。さらに、その下面両側端部の前部には、天板１２の下面に当接する当接部と、当接部から略鉛直下方に屈曲して設けられ、その外側面にボールサスペンションの可動部１２２ａを取り付けてなる取付部とを有する前取付部材１２２を取り付けていて、ボールサスペンションの固定部１１２を脚体１１の内側面に取り付けてなり、前記ボールサスペンションの可動部１２２ａがボールサスペンションの固定部１１２の内部を転動するようにしている。そして、天板１２の下面の両側端部には、ラッチ爪（図示略）を有するラッチ装置（図示略）を前後方向に所定距離だけ離間させて１対ずつ設けているとともに、脚体１１の上面には、前記ラッチ爪と係合可能な係止穴（図示略）を３箇所ずつ設けている。前記係止穴は、前後方向に前記所定距離ずつ離間している。すなわち、前記天板１２は、前記ラッチ爪が最も後方に位置する係止穴及び前後方向中間に位置する係止穴にそれぞれ係合している使用位置と、前記ラッチ爪が前後方向中間に位置する係止穴及び最も前方に位置する係止穴にそれぞれ係合している引き出し位置に選択的に係止されるとともに、これらの間を移動可能に構成されている。
【００２０】
また、この机１は、図２及び図３中の想像線に示すように、天板１２を前方へ移動した場合に反使用端１２ａ側に開口２を形成するものであり、前記天板１２の前後方向への移動動作を利用して開口２の開閉動作を行うようにしている。すなわち、前記開口２は、前記補強部１３の前縁部１３ａと前記天板１２の後縁部である反使用端１２ａとの間に形成されるようにしている。
【００２１】
このような構成の机１において、本実施形態では、図２に示すように、前記天板１２の反使用端１２ａ側に配線装置３を設けている。この配線装置３は、前記図２、天板１２が使用位置に係止されている場合の前記図１におけるａ−ａ断面の要部を拡大して示した図４、及び天板１２が引き出し位置に係止されている場合の図４に対応する図である図５に示すように、配線装置本体４と、この配線装置本体４と前記机１との間に介在させた動作変換機構５とを具備し、この動作変換機構５により、前記開口２の開閉動作を前記配線装置本体４の上下方向への移動動作に変換し、前記開口２を閉止している場合に前記配線装置本体４を天板下空間Ｓに収納するとともに、前記開口２を開成させた場合に前記配線装置本体４を開口２に臨む位置に移動させるようにしている。また、両側の脚体１１の後上端部には、側開口１ｘを設け、この側開口１ｘを介して、脚体１１間の空間を、その外側方の空間と連通させている。なお、前記図４及び図５において、天板１２に設けた前記横補強材１２ｘ及び縦補強材１２ｙは省略して示している。
【００２２】
配線装置本体４は、その長手方向を前記天板１２の幅方向と略一致させて位置する断面略上向きコ字形の配線ダクト４１を主体として構成されており、この配線ダクト４１にコンセント等の配線具（図示略）を載せ置いたり、配線類を沿わせたりするようにしている。この配線装置本体４は、前記配線ダクト４１の下方に設けた板状をなす支持体４２を有しており、この支持体４２を介して前記動作変換機構５と関連付けてある。
【００２３】
しかして、本実施形態では、動作変換機構５は、前記天板１２の反使用端１２ａ側において、その左右端部に設けてある左右に対をなすもので、前記配線装置本体４を前記机１に対して上下方向に平行移動可能に案内する平行リンク６と、可撓性を有する部材により構成され、前記天板１２と前記配線装置本体４とを接続する接続部たるワイヤ７と、前記脚体１１の後上端近傍に設けられる定滑車８とを具備している。
【００２４】
平行リンク６は、前記図４の実線に示すように、使用位置において、前上方に傾斜させて互いに略平行に設けた第１、第２リンクメンバ６１、６２を具備してなり、これら第１、第２リンクメンバ６１、６２の回動軌跡に沿って前記配線装置本体４を上下方向に沿って平行移動させるものである。これら第１、第２リンクメンバ６１、６２は、具体的には、一端部６１ａ、６２ａを前記配線装置本体４の支持体４２に回動可能に取り付けてあるとともに、他端部６１ｂ、６２ｂを前記机１の脚体１１に回動可能に取り付けてある。
【００２５】
ワイヤ７は、その一端を前記配線装置本体４の支持体４２に接続しているとともに、他端を前記天板１２側の後取付部材１２１に接続していて、その中間において前記定滑車８に巻き掛けられている。すなわち、本実施形態では、このワイヤ７は、前記定滑車８から前記配線装置本体４に向けて下方に、また、前記天板１２に向けて前方にそれぞれ延伸していて、前記配線装置本体４やその内部に収納した配線の重量を受けて張られた状態にある。
【００２６】
次に、前記動作変換機構５を介して前記配線装置本体４を上下方向に移動させる場合の動作について前記図２、図３、図４、及び図５を利用して説明する。
【００２７】
先ず、通常の状態では、図２中実線及び図４中実線で示すように、前記開口２は、閉止しており、前記配線装置本体４は、天板下空間Ｓに収納され外部から隠蔽されている。
【００２８】
しかして、このような状態からコンセント等の配線具（図示略）を前記開口２に臨む位置に上昇させて配線作業等を行う場合には、前記天板１２を前方へ引いて移動させる。すると、図４の想像線に示すように、開口２が開成し、前記配線装置本体４は前記動作変換機構５を介して前記開口２に臨む位置まで上昇する。具体的には、前記天板１２の前方への移動動作に伴って、前記天板１２を前方へ移動させる操作力が、前記ワイヤ７を介して、前記第１のリンクメンバ６１の配線装置本体４に接続した端部６１ａを引き上げるように作用する。そして、前記第１、第２のリンクメンバ６１、６２が、脚体１１に接続した端部６１ｂ、６２ｂ側を回動支点にして図４中実線で示す位置から想像線で示す位置へと反時計回りすなわち上方へ回転するため、配線装置本体４は、図４中想像線及び図５で示すような前記開口２に臨む位置に上昇する。そして、この位置で配線具（図示略）の差込口にプラグを差し込み、また配線装置本体４に配線を収納して必要に応じて側開口１ｘから机１側方の空間に該配線を延出させる等の配線作業を行う。なお、前記天板１２は、元の位置から前方に所定距離移動した位置において、上述したようなラッチ機構によりロックされているとともに、この天板１２とワイヤ７を介して接続された前記配線装置本体４もまた、図３中想像線、図４中想像線、及び図５で示すような前記開口２に臨む位置にとどまる。
【００２９】
一方、配線作業後、前記配線装置本体４を天板下空間Ｓに収納する場合には、前記天板１２を後方に押して移動させる。すると、前記開口２が閉止することとなり、前記配線装置本体４は、前記動作変換機構５を介して天板下空間Ｓへと下降する。具体的には、前記天板１２の後方への移動動作に伴って、前記ワイヤ７がたわみ、次いでこのワイヤ７に連結された配線装置本体４が自重により下方に移動する。その際、前記第１、第２のリンクメンバ６１、６２が、図４中想像線で示す位置から実線で示す位置へと時計回りすなわち下方へ回転する。そして、配線装置本体４は、前記天板下空間Ｓへと下降し、外部から隠蔽される。
【００３０】
このような構成のものであると、前記配線装置本体４の上下方向への移動を開口２の開閉動作と連動させて行っているので、必要に応じて前記配線装置本体４を開口２に対して臨ませたり、外部から隠蔽した状態とすることが可能となり、使用状況に対応させた利用が可能となる。すなわち、前記開口２を開成させれば、前記動作変換機構５を介して前記配線装置本体４が開口２に臨む位置に移動することとなり、コンセント等の配線具（図示略）に配線を接続する等の配線作業を容易に行うことができる。一方、前記開口２を閉止させれば、前記動作変換機構５を介して前記配線装置本体４は天板下空間Ｓに収納されるため、机１全体の外観を良好なものとし得るとともに、天板面の有効利用面積も低減させることがない。
【００３１】
また、本実施形態では、天板１２が、前後方向に移動可能なものであり、該天板１２を移動させることにより前記開口２を開閉させるものであるので、前記開口２を閉止するための蓋部材等を設ける必要がなく、天板１２自体を蓋部材の代わりとして部品点数の削減を図ることができる。また、配線装置本体４を上下移動させるのに合わせて蓋部材上に載せ置いた筆記具等の物品の移動を行う必要もないため、天板面における通常の使用状態を妨げることなく、配線作業を行うことが可能となる。
【００３２】
さらに、前記動作変換機構５のワイヤ７の一端を前記天板付き家具の天板に、他端を前記配線装置本体にそれぞれ接続し、前記ワイヤ７により配線装置３を吊り下げるようにしているので、前記開口２の開成動作が行われた際に、配線装置本体４がワイヤ７を介して作用を受け、天板１２の移動距離分だけ上昇し、また、前記開口２の閉止動作が行われた際に、ワイヤ７が配線装置本体４に向けて押し込まれ、自重により天板１２の移動距離分だけ下降する。従って、前記開口２を開閉すべく天板を移動させるための操作力を効果的に前記配線装置本体４を昇降させる力に変換できるとともに、動作変換機構５の動作に要するスペースを小さくできる。
【００３３】
また、側開口１ｘを介して脚体１１間の空間をその外側方の空間と連通させているが、定滑車８に巻きつけたワイヤ７を介して前記配線装置本体４を昇降させているので、前記配線装置本体４を開口２に臨む位置に移動させた際に、このワイヤ７及び定滑車８を含む動作変換機構５に妨げられずに前記配線装置本体４に収納した配線を前記側開口１ｘから机１の側方に延出させることができる。
【００３４】
加えて、平行リンク６が、互いに略平行に設けた第１リンクメンバ６１及び第２リンクメンバ６２を具備してなり、両リンクメンバ６１、６２の一端部６１ａ、６２ａ及び他端部６１ｂ、６２ｂをそれぞれ配線装置本体４及び机１の各対応位置に回動可能に取り付けているので、簡単な構成で的確な作動を営ませ得る。
【００３５】
さらに、平行リンク６を左右に対をなして設け、両平行リンク６の第１リンクメンバ６１間及び第２リンクメンバ６２間をそれぞれ配線装置本体４を介して同期作動可能に連結しているので、動作変換に要する負荷を分担することができ、耐久性を高めるとともに、作動の的確性を一層高めることが可能となる。
【００３６】
そして、動作変換機構５が、天板１２の下方に形成される天板下空間Ｓ内に配置されて外部から隠蔽されているので、机１全体を見栄えの良いものとすることが可能である。
【００３７】
なお、本発明における構成は、以上説明したものに限定されないのは勿論である。例えば、本実施の形態では、前記天板１２と補強部１３との間を天板１２と同一平面上にある面部の所定領域とし、この所定領域に開口２を設けていたが、これに限定されず、天板に直接、開口を設けるようにしてもよい。さらに、本実施の形態では、前記開口を天板の反使用端側において左右両端を開放した状態で設けているが、これに限定されず、天板の奥行方向中間位置や幅方向中間位置等に左右両端を閉塞した状態で設けるようにしてもよい。さらに、開口に設けた蓋部材を適宜の手段により開閉させることにより、配線装置本体が上下方向に移動するようなものであってもよい。また、配線装置本体は、前述したような樋状の配線ダクトにコンセント等の配線具を載せ置くものに限定されず、配線具を直接的に動作変換機構の一部に設けているもの等であってもよい。その他の構成も本発明の趣旨を逸脱しない範囲で種々変形が可能である。
【００３８】
【発明の効果】
本発明は、上述したような動作変換機構の作用により、天板の移動に伴う開口の開閉操作を配線装置本体の昇降動作に転換しているので、必要に応じて配線装置本体を前記開口に臨ませたり天板下空間に収納することができる。そして、動作変換機構が、可撓性を有する部材により構成され前記天板と前記配線装置本体とを接続する接続部を具備するので、この接続部を変形させることにより配線装置本体を昇降させることができ、このような動作変換機構の動作に要するスペースを少なくできる。
【図面の簡単な説明】
【図１】本発明の一実施形態に係る天板付き家具を示す正面図。
【図２】同実施形態に係る天板付き家具を示す側面図。
【図３】同実施形態に係る天板付き家具を示す正面図。
【図４】同配線装置本体が使用位置にある場合の図１におけるａ−ａ断面を模式的に示す図。
【図５】同配線装置本体が引き出し位置にある場合の図１におけるａ−ａ断面を模式的に示す図。
【符号の説明】
１…天板付き家具（机）
１２…天板
２…開口
３…配線装置
４…配線装置本体
５…動作変換機構
６…平行リンク
６１…第１リンクメンバ
６２…第２リンクメンバ
７…ワイヤ（接続部）
Ｓ…天板下空間
【図１】
2004329305.tif 000003
【図２】
2004329305.tif 000004
【図３】
2004329305.tif 000005
【図４】
2004329305.tif 000006
【図５】
2004329305.tif 000007